(57)【要約】【課題】介助者の助けを借りることなく本人が容易に自力で寝返りを打つことを可能にする。【解決手段】敷き布団２２側に配置される下シート１４と人体２０側に配置される上シート１６の少なくとも２枚のシートが互いに滑面１８を介して重ね合わされており、上シート１６と下シート１４とが人体２０の背骨に平行な方向への相対移動を妨げるように、両者を一体化する一体化手段が設けられている。上シート１６と下シート１４とが滑るので、上に寝ると寝返りが打ちやすい。上シート１６と下シート１４とが一体化されていれば、寝返りを繰り返したときに、上シート１６と下シート１４とが分離しない。【選択図】図１
2010200865.tif 000002
【特許請求の範囲】
【請求項１】
敷き布団２２側に配置される下シート１４と人体２０側に配置される上シート１６の少なくとも２枚のシートが互いに滑面１８を介して重ね合わされており、
前記上シート１６と下シート１４とが前記人体２０の背骨に平行な方向への相対移動を妨げるように、両者を一体化する一体化手段が設けられていることを特徴とする寝返りシート。
【請求項２】
請求項１に記載の寝返りシート１０において、
前記上シート１６と下シート１４はいずれも前記人体２０の両側に、前記人体２０の背骨にほぼ平行な端縁を配置し、かつ、前記上シート１６と下シート１４の一方の端縁２４は連続し、他方の端縁２６は縫合されていることを特徴とする寝返りシート。
【請求項３】
請求項１に記載の寝返りシート１０において、
前記上シート１６と下シート１４はいずれも前記人体２０の両側に、前記人体２０の背骨にほぼ平行な端縁を配置し、かつ、前記上シート１６と下シート１４の両方の端縁が縫合されていることを特徴とする寝返りシート。
【請求項４】
請求項１に記載の寝返りシート１０において、
前記下シート１４は前記人体２０の両側に前記人体２０の背骨にほぼ平行な端縁を配置し、複数の上シート１６の前記人体２０の背骨にほぼ平行な一方の端縁２４が、前記下シート１４上に所定間隔で縫合されていることを特徴とする寝返りシート。
【請求項５】
請求項１に記載の寝返りシート１０において、
前記上シート１６と下シート１４とは、前記人体２０の背骨に平行な線を境に折り曲げられて連続一体化された、人体２０の幅に比べて十分に狭い幅のユニット３０とされており、このユニット３０を複数、前記人体２０の幅方向に隙間なく配列して連結したことを特徴とする寝返りシート。
【請求項６】
請求項１に記載の寝返りシート１０において、
前記下シート１４は、前記上シート１６が前記人体２０に密着するように上シート１６の上面を開放し、前記上シート１６の前記人体２０の幅方向の縁を包囲して、前記上シート１６の前記人体２０の背骨に平行な方向の移動を制限し、前記人体２０の幅方向の移動のみを許容するガイド構造を有することを特徴とする寝返りシート。
【請求項７】
請求項１乃至６のいずれかに記載の寝返りシート１０において、
前記上シート１６の周辺およびまたは対角線上にシート張り用ワイヤー４０を埋め込んだことを特徴とする寝返りシート。
【請求項８】
請求項１乃至７のいずれかに記載の寝返りシート１０において、
前記上シート１６は、形状記憶繊維から構成したことを特徴とする寝返りシート。
【請求項９】
請求項１乃至７のいずれかに記載の寝返りシート１０において、
前記下シート１４と上シート１６とは、生地表面に滑性がある化学繊維から構成したことを特徴とする寝返りシート。
【請求項１０】
請求項１乃至７のいずれかに記載の寝返りシート１０において、
前記下シート１４と上シート１６の両端縁が、人体２０の背骨にほぼ平行な方向に貫通する窓を持つ一対のチューブ状シート１２に固定されていることを特徴とする寝返りシート。
【発明の詳細な説明】
【技術分野】
【０００１】
本発明は、敷き布団と人体の間に敷いて、寝返りを打ち易くするための寝返りシートに関する。
【背景技術】
【０００２】
病人や老人等で、自由に寝返りを打つことができない人のために各種の介護用品が開発されている（特許文献１参照）（特許文献２参照）（特許文献３参照）。
【先行技術文献】
【特許文献】
【０００３】
【特許文献１】特開２００６−１０９９２８
【特許文献２】実用新案登録第３１２６７５１号
【特許文献３】実開平６−７７７２８
【発明の概要】
【発明が解決しようとする課題】
【０００４】
既知の従来の技術には、次のような解決すべき課題があった。
従来の介護用品はいずれも、介助者の手助けにより使用されるもので、本人が容易に自力で寝返りを打つことを支援するものではない。
上記の課題を解決するために、本発明は、介助者の助けを借りることなく本人が容易に自力で寝返りを打つことを可能にする寝返りシートを提供することを目的とする。
【課題を解決するための手段】
【０００５】
〈構成１〉
敷き布団２２側に配置される下シート１４と人体２０側に配置される上シート１６の少なくとも２枚のシートが互いに滑面１８を介して重ね合わされており、前記上シート１６と下シート１４とが前記人体２０の背骨に平行な方向への相対移動を妨げるように、両者を一体化する一体化手段が設けられていることを特徴とする寝返りシート１０。
【０００６】
〈構成２〉
構成１に記載の寝返りシート１０において、前記上シート１６と下シート１４はいずれも前記人体２０の両側に、前記人体２０の背骨にほぼ平行な端縁を配置し、かつ、前記上シート１６と下シート１４の一方の端縁２４は連続し、他方の端縁２６は縫合されていることを特徴とする寝返りシート１０。
【０００７】
〈構成３〉
構成１に記載の寝返りシート１０において、前記上シート１６と下シート１４はいずれも前記人体２０の両側に、前記人体２０の背骨にほぼ平行な端縁を配置し、かつ、前記上シート１６と下シート１４の両方の端縁が縫合されていることを特徴とする寝返りシート１０。
【０００８】
〈構成４〉
構成１に記載の寝返りシート１０において、前記下シート１４は前記人体２０の両側に前記人体２０の背骨にほぼ平行な端縁を配置し、複数の上シート１６の前記人体２０の背骨にほぼ平行な一方の端縁２４が、前記下シート１４上に所定間隔で縫合されていることを特徴とする寝返りシート１０。
【０００９】
〈構成５〉
構成１に記載の寝返りシート１０において、前記上シート１６と下シート１４とは、前記人体２０の背骨に平行な線を境に折り曲げられて連続一体化された、人体２０の幅に比べて十分に狭い幅のユニット３０とされており、このユニット３０を複数、前記人体２０の幅方向に隙間なく配列して連結したことを特徴とする寝返りシート１０。
【００１０】
〈構成６〉
構成１に記載の寝返りシート１０において、前記下シート１４は、前記上シート１６が前記人体２０に密着するように上シート１６の上面を開放し、前記上シート１６の前記人体２０の幅方向の縁を包囲して、前記上シート１６の前記人体２０の背骨に平行な方向の移動を制限し、前記人体２０の幅方向の移動のみを許容するガイド構造を有することを特徴とする寝返りシート１０。
〈構成７〉
構成１乃至６のいずれかに記載のに記載の寝返りシート１０において、
前記上シート１６の周辺およびまたは対角線上にシート張り用ワイヤー４０を埋め込んだことを特徴とする寝返りシート。
〈構成８〉
構成１乃至７のいずれかに記載のに記載の寝返りシート１０において、
前記上シート１６は、形状記憶繊維から構成したことを特徴とする寝返りシート。
〈構成９〉
構成１乃至７のいずれかに記載のに記載の寝返りシート１０において、
前記下シート１４と上シート１６とは、生地表面に滑性がある化学繊維から構成したことを特徴とする寝返りシート。
〈構成１０〉
構成１乃至７のいずれかに記載の寝返りシート１０において、
前記下シート１４と上シート１６の両端縁が、人体２０の背骨にほぼ平行な方向に貫通する窓を持つ一対のチューブ状シート１２に固定されていることを特徴とする寝返りシート。
【発明の効果】
【００１１】
〈構成１の効果〉
敷き布団２２側に配置される下シート１４と人体２０側に配置される上シート１６が滑面１８を介して重ね合わされているので、その上に寝ると寝返りが打ちやすい。人体２０の背骨に平行な方向への相対移動を妨げるように、上シート１６と下シート１４とが一体化されていれば、寝返りを繰り返したときに、上シート１６と下シート１４とが分離しない。
〈構成２の効果〉
上シート１６と下シート１４とは、一方の端縁２４で折り返された連続したシートで、他方の端縁２６はヒートシール等の手段で縫合されることが好ましい。このチューブ状シート１２はそのまま人体２０の下に敷かれてもよいし、人体２０の背骨に平行な複数の線でタックを付けるように数カ所で折り返されてもよい。
〈構成３の効果〉
上シート１６と下シート１４とは別々のシートにより構成して、両方の端縁がヒートシール等の手段で縫合されてもよい。
〈構成４の効果〉
一枚の敷き布団２２と同程度の幅の下シート１４上に、所定間隔で複数の上シート１６の一方の端縁２４が縫合されていると、どの部分でも、下シート１４と上シート１６が滑面１８を介して重ね合わされている状態になる。こうしたルーバー状シート２８は、下シート１４と上シート１６の全体としてのずれが小さいという効果がある。
〈構成５の効果〉
上シート１６と下シート１４とを折り曲げて、人体２０の幅に比べて十分に狭い幅のユニット３０を得る。このユニット３０を複数、前記人体２０の幅方向に隙間なく配列して連結すると、どの部分でも、下シート１４と上シート１６が滑面１８を介して重ね合わされている状態になる。
〈構成６の効果〉
下シート１４をケース状シート３２とし、上シート１６をスライドシート３４とする。下シート１４は上シート１６の人体２０の幅方向の移動のみを許容するので、下シート１４と上シート１６の全体としてのずれが小さいという効果がある。
〈構成７の効果〉
上シート１６の周辺およびまたは対角線上にシート張り用ワイヤー４０を埋め込んだので、上シート１６に皺が寄らない。
〈構成１０の効果〉
下シート１４と上シート１６の両端縁が、一対のチューブ状シート１２に固定されているので、上シート１６だけが自由に左右に移動する。
【図面の簡単な説明】
【００１２】
【図１】実施例１の寝返りシートの斜視図
【図２】寝返りシートの原理を示した解説図
【図３】実施例１の寝返りシート使用時の配置図
【図４】実施例２の寝返りシートの斜視図
【図５】実施例３の寝返りシートの斜視図
【図６】実施例４の寝返りシートの斜視図
【図７】実施例５の寝返りシートの斜視図
【図８】実施例６の寝返りシートの斜視図
【図９】実施例７の寝返りシート１０の一例を示す斜視図である。
【図１０】実施例７の寝返りシート１０が機能した時の各部位置関係を断面からみた解説図である。
【発明を実施するための形態】
【００１３】
以下、本発明の実施の形態を実施例毎に詳細に説明する。
【実施例１】
【００１４】
図１は実施例１の寝返りシート１０の一例を示す斜視図である。寝返りシート１０は、チューブ状シート１２と下シート１４と上シート１６と滑面１８と人体２０と敷き布団２２と一方の端縁２４と他方の端縁２６とルーバー状シート２８とユニット３０とケース状シート３２とスライドシート３４ととを備えている。
敷き布団２２側に配置される下シート１４と人体２０側に配置される上シート１６の少なくとも２枚のシートが互いに滑面１８を介して重ね合わされており、上シート１６と下シート１４とが人体２０の背骨に平行な方向への相対移動を妨げるように、両者を一体化する一体化手段が設けられている。
【００１５】
図２は寝返りシート１０の原理を説明するための頭上方向から見た解説図である。
敷き布団２２側に配置される下シート１４と人体２０側に配置される上シート１６が滑面１８を介して重ね合わされている。この上で人体２０が背骨に平行な方向に回転すると、人体２０が丁度送りローラーの様な動きをする。従って、下シート１４の上を上シート１６が滑面１８を介して滑り、上シート１６がその回転方向に送り出される。つまり、人体２０の頭頂部回転中心軸はそのままの位置で体は軽く回転できる。即ち、敷き布団２２の幅方向両端部へ人体２０が移動することなく僅かな力で寝返りが打てる様になる。そして人体２０の背骨に平行な方向への相対移動を妨げるように、上シート１６と下シート１４とが一体化されていれば、寝返りを繰り返したとしても、上シート１６と下シート１４とが分離しない。
【００１６】
図３は実施例１の敷き布団２２の上に寝返りシート１０を敷いてその上に人体２０が乗った時の配置図である。
上シート１６と下シート１４は人体２０の荷重が強くかかる位置に配置され、荷重のかかる部分をカバーする寸法及び形状が選定される。人体２０の背骨方向の寸法は座高の３分の１程度、人体２０の幅方向の寸法は敷き布団２２の幅とほぼ同程度が好ましい。
上シート１６と下シート１４はいずれも、例えば、ポリエチレンシート等の適度に柔軟性があるものが好ましい。また、体重が加わることにより著しく変形したり皺が寄ることがない適度な剛性を有することが好ましい。
【実施例２】
【００１７】
図４は実施例２の寝返りシート１０の一例を示す斜視図である。
図に示すように、上シート１６と下シート１４はいずれも人体２０の両側に、人体２０の背骨にほぼ平行な端縁を配置している。さらに、上シート１６と下シート１４の一方の端縁２４は連続し、他方の端縁２６は縫合されている。
【００１８】
上シート１６と下シート１４とは、一方の端縁２４で折り返された連続したシートで、他方の端縁２６はヒートシール等の手段で縫合されることが好ましい。このチューブ状シート１２はそのまま人体２０の下に敷かれてもよいし、人体２０の背骨に平行な複数の線でタックを付けるように数カ所で折り返されてもよい。
【実施例３】
【００１９】
図５は実施例３の寝返りシート１０の一例を示す斜視図である。
図に示すように、上シート１６と下シート１４はいずれも人体２０の両側に、人体２０の背骨にほぼ平行な端縁を配置している。さらに、上シート１６と下シート１４の両方の端縁が縫合されている。
【００２０】
シートと下シート１４とは別々のシートにより構成して、両方の端縁がヒートシール等の手段で縫合されてもよい。
【実施例４】
【００２１】
図６は実施例４の寝返りシート１０の一例を示す斜視図である。
図に示すように、下シート１４は人体２０の両側に人体２０の背骨にほぼ平行な端縁を配置ている。複数の上シート１６の人体２０の背骨にほぼ平行な一方の端縁２４が、下シート１４上に所定間隔で縫合されている。
【００２２】
一枚の敷き布団２２と同程度の幅の下シート１４上に、所定間隔で複数の上シート１６の一方の端縁２４が縫合されていると、どの部分でも、下シート１４と上シート１６が滑面１８を介して重ね合わされている状態になる。こうしたルーバー状シート２８は、下シート１４と上シート１６の全体としてのずれが小さいという効果がある。
【実施例５】
【００２３】
図７は実施例５の寝返りシート１０の一例を示す斜視図である。
図に示すように、上シート１６と下シート１４とは、人体２０の背骨に平行な線を境に折り曲げられて連続一体化されている。そして、人体２０の幅に比べて十分に狭い幅のユニット３０とされている。このユニット３０を複数、人体２０の幅方向に隙間なく配列して連結した。
【００２４】
上シート１６と下シート１４とを折り曲げて、人体２０の幅に比べて十分に狭い幅のユニット３０を得る。このユニット３０を複数、前記人体２０の幅方向に隙間なく配列して連結すると、どの部分でも、下シート１４と上シート１６が滑面１８を介して重ね合わされている状態になる。これも全体としてのずれが小さくなる効果と共に滑面１８が複層になるので更に滑りやすくなるという効果もある。また、このユニット３０の各下シート１４の一部をベースシート３２の上面に縫合してもよい。
【実施例６】
【００２５】
図８は実施例６の寝返りシート１０の一例を示す斜視図である。
図に示すように、下シート１４は、上シート１６が人体２０に密着するように上シート１６の上面を開放している。さらに、下シート１４は、上シート１６の人体２０の幅方向の縁を包囲して、上シート１６の人体２０の背骨に平行な方向の移動を制限する。こうして、下シート１４は、人体２０の幅方向の移動のみを許容するガイド構造を有する。
【００２６】
下シート１４をケース状シート３４とし、上シート１６をスライドシート３６とする。下シート１４は上シート１６の人体２０の幅方向の移動のみを許容するので、下シート１４と上シート１６の全体としてのずれが小さいという効果がある。
【実施例７】
【００２７】
図９は実施例７の寝返りシート１０の一例を示す斜視図である。
この実施例では、チューブ連結上シート３８の周辺と対角線上にシート張り用ワイヤー４０を埋め込んだ。シート張り用ワイヤー４０は、グラスファイバー等の材質で薄平たく線状に構成する。チューブ連結上シート３８の裏側に、丁度凧の骨組みの様に隠されている。左右には、人体２０の背骨にほぼ平行な方向に貫通する窓を持つ一対のチューブ状シート１２を配置した。チューブ連結上シート３８の両端縁は、一対のチューブ状シート１２に固定されている。この構成により、チューブ連結上シート３８が皺になりにくい。また、シート全体の各辺を常に直線に保つという効果が生まれた。
【００２８】
また、チューブ連結上シート３８の材質を、形状記憶繊維の様な化学繊維で作ってもよい。これで、シート全体の表面を平らに保持できる。いずれの場合もチューブ連結上シート３８の下面とチューブ連結下シート４２の上面は滑面１８となっており、左右のチューブ状シート１２と共に擦られながら滑ることができる。
【００２９】
図１０は実施例７の寝返りシート１０が機能した時の各部位置関係を断面からみた解説図である。
図の上側はニュートラルポジションである。この状態からチューブ連結上シート３８が、寝返りによる力を受けて、図の矢印方向に滑った時を考える。図の下側にその後の状態を示す。チューブ連結下シート４２は敷き布団の上で左右上下とも移動はしていない。左右のチューブ状シート１２がずれる様にして滑って、チューブ連結上シート３８を図の右方向に軽く移動させている。
【００３０】
この構造の長所は、左右一対のチューブ状シート１２を設けたので、方向性が良く、チューブ連結上シート３８が安定して左右だけに移動できることである。即ち、ひとつのチューブ状シートを下に敷く場合に比べて、チューブを２連に連結した構造の方が、滑りの方向性がよい。就寝時に激しく寝返りを打った場合でも、シート本体が様々な方向に偏って行かず、皺にもならず人体２０の動きに機能低下無く追従することが可能になった。
【００３１】
なお、上記の各実施例で使用したシートの形状は、体の中心部が乗る大きさならば円形、楕円形、菱形でも良い。また、本発明の特徴は、滑面１８の働きによって外的要因に影響されずいつでも安定した滑りを確保できることにある。つまり、敷き布団、シーツ、就寝着などの素材表面が摩擦抵抗の高い如何なるものであっても、寝返りシート１０の上に乗れば人体２０を容易に滑らせ回転することが出来る。生地表面に滑性がある超極細繊維等で出来たポリエステルなどの化学繊維で製造すれば通気性もよく就寝時に蒸れることがない。
【００３２】
例えばベッドで就寝している場合、人間は寝返り時にベッドから転落しない様、無意識に体をベッドの中心部方向に戻す動きをしている。しかし、この動作が睡眠中にもリラックス出来ず肉体的にも疲労する原因となっている。本発明のシートは、人間の頭頂部回転中心軸を正中線とした位置から外れることなく体を容易に回転させることが出来る。従って、体をベッド中心部に戻す努力をすることが必要無くなり、睡眠中の肉体的精神的疲労も軽減し熟睡を確保する。さらにはベッドから転落する事故も防げる様になる。
【００３３】
急性腰痛症の患者にとって、寝返りは非常な激痛を誘発させる。さらには病状を悪化させる原因ともなっている。本発明はこの場合の寝返りも腰部の筋力を必要とさせない。従って、激痛を回避した寝返りを打たせることが可能となった。これにより、患者の安眠と病気の治癒に貢献することができた。
【００３４】
肩こり症及び頚椎疾患の患者にとって、睡眠時の寝返りは頚や肩周辺の血流を促進するために必要な運動である。しかし、寝返りに強い力が必要だと体が無抵抗のまま朝まで眠り続けてしまうことがある。その結果、朝の起床時に首や肩の凝りが激しく発症する。本発明はこの場合の寝返りも容易に可能となる。従って、患者に合った適度な高さの枕と本発明とを組み合わせることによって、睡眠時の適度な寝返り運動が肩周辺の血行を促進させ、凝りの治癒に働く。
【符号の説明】
【００３５】
１０  寝返りシート
１２  チューブ状シート
１４  下シート
１６  上シート
１８  滑面
２０  人体
２２  敷き布団
２４  一方の端縁
２６  他方の端縁
２８  ルーバー状シート
３０  ユニット
３２  ベースシート
３４  ケース状シート
３６  スライドシート  
３８  チューブ連結上シート
４０  シート張り用ワイヤー
４２  チューブ連結下シート
【図１】
2010200865.tif 000003
【図２】
2010200865.tif 000004
【図３】
2010200865.tif 000005
【図４】
2010200865.tif 000006
【図５】
2010200865.tif 000007
【図６】
2010200865.tif 000008
【図７】
2010200865.tif 000009
【図８】
2010200865.tif 000010
【図９】
2010200865.tif 000011
【図１０】
2010200865.tif 000012